(57)【特許請求の範囲】
【請求項１】
建造物の傾斜した屋根面に沿って歩廊を取り付け、
前記歩廊は、屋根側の床板と、屋根より遠い突出側の床板と、これらの両床板を前記屋根面に支持する支持部材とから構成し、
前記屋根側の床板を、前記支持部材に対して上に旋回して立ち上がる方向に、前記突出側の床板に近い端部において前記支持部材に枢着して、
前記屋根側の床板の前記立ち上がり状態において、前記突出側の床板と前記屋根との間に、上方から下方に向けて落下する雪塊の落下路を形成し、
前記屋根側の床板の前記立ち上がり状態を維持する立ち上がり維持機構を、前記支持部材と前記屋根側の床板との間に介在させ、
前記落下路に、落下する雪塊を砕く雪粉砕部材を配置したことを特徴とする屋根用歩廊構造。
【発明の詳細な説明】
【０００１】
【発明の属する技術分野】
本発明は、積雪地帯における建造物の傾斜した屋根面に沿って取り付けられる屋根用歩廊に関するものであり、特に豪雪地帯に建設される原子力発電所のドーム状をした屋根や、石油基地における石油タンク等の上面に取り付けられるものである。
【０００２】
【従来の技術】
従来から、原子力発電所のドーム状をした屋根や、石油基地の石油タンクの上面等に、屋根の塗装や補修等をするための歩廊が取り付けられているものがある。そして、積雪期になると、これらの歩廊や屋根等に雪が積もり、屋根等から滑り落ちた雪が大きな塊となって地上に落下することにより、人災等の落雪事故が発生することがある。
【０００３】
ところが、積雪時には、原子力発電所や石油基地にほとんど人は寄りつかないため、一般的に歩廊には、屋根等に積もった雪が安全に落下するための処置は施されていない。また、安全に雪が落下するための対策を行う場合でも、雪が落下する区域を柵で囲って立ち入り禁止にしたり、この区域に落雪から保護するための庇を設ける程度のことしか行っていない。
【０００４】
また、積雪地帯の都市部において、建造物のドーム状をした屋根に、歩廊が取り付けられているものがある。そして、落雪による事故を防止するため、ドームの直径をパラペット、すなわち屋上等の外周に外壁に沿って立ち上げた腰壁の大きさよりもはるかに小さく設計することにより、ドームを伝わって滑り落ちてきた雪を建造物の頂上部の床に溜めることにより、雪が地上に落下しないようにする場合もある。
【０００５】
さらに、落雪による事故をなくすため、歩廊に融雪設備を設けて、屋根を伝わって歩廊に滑り落ちてきた雪や、歩廊に降り積もった雪を溶かすことにより、地上に雪が落下しないようにする場合もある。
【０００６】
【発明が解決しようとする課題】
しかし、落雪事故防止のための対策として、雪が落下する区域を立ち入り禁止にすることは、建造物の屋根の高さが高くなればなるほど、屋根に積もった雪は建造物の周囲の広い範囲に落下することになる。このため、立ち入り禁止区域を広くしなければならず、また、落雪から保護するための庇を設ける場合には、かなり大型のものにしなければならないとう問題があった。
【０００７】
また、ドームの直径をパラペットよりもはるかに小さくする対策は、建造物の頂上部の床に、ドームから滑り落ちてきた雪を余裕を持って溜めるためのスペースを確保しなければならないため、パラペットに比べてドームの大きさをかなり小さくしなければならず、建造物を設計する上で制約が伴ってしまうという問題があった。
【０００８】
さらに、歩廊に融雪設備を設けることは、屋根等に積もった雪が地上に落下しないようにするために一番有効な措置といえるが、設備費用がかかるとともに、ランニングコストが非常に高くつくという問題があった。
【０００９】
そこで、本発明は、屋根を滑り落ちてきた雪の塊を粉砕する雪粉砕部材を歩廊に設けて、地上に落下する雪の塊を小さなものにすることにより、建造物を設計する上で制約を伴うことなくして、簡易かつ安価に落雪事故を防止することを目的とする。
【００１０】
【課題を解決するための手段】
前記目的を達成するため、本発明に係る屋根用歩廊構造は、建造物の傾斜した屋根面に沿って歩廊を取り付け、前記歩廊は、屋根側の床板と、屋根より遠い突出側の床板と、これらの両床板を前記屋根面に支持する支持部材とから構成する。前記屋根側の床板を、前記支持部材に対して上に旋回して立ち上がる方向に、前記突出側の床板に近い端部において前記支持部材に枢着する。前記屋根側の床板の前記立ち上がり状態において、前記突出側の床板と前記屋根との間に、上方から下方に向けて落下する雪塊の落下路を形成する。前記屋根側の床板の前記立ち上がり状態を維持する立ち上がり維持機構を、前記支持部材と前記屋根側の床板との間に介在させる。そして、前記落下路に、落下する雪塊を砕く雪粉砕部材を配置したものである。
【００１１】
ここで建造物とは、一般的な建造物の他に、原子力発電所や石油タンク等のあらゆる建造物を含む意味である。
本発明は、このような構成をしているため、建造物を設計する上で制約を伴うことがなくなり、また、簡易かつ安価に落雪事故を防止することができる。
【００１２】
【発明の実施の形態】
以下、本発明に係る屋根用歩廊構造の実施の形態について、図面に基づいて説明する。
【００１３】
図１に示すように、屋根用歩廊１は、豪雪地帯に建設する原子力発電所２のドーム状をした屋根２１の外周に沿って、上下２段にして取り付けてある。
屋根２１の上側に設けてある第１の歩廊１Ａと、避雷針２２が設けてある屋根の中央部には、梯子２３が掛け渡してある。また、屋根２１の上側に設けてある第１の歩廊１Ａと、屋根の下側に設けてある第２の歩廊１Ｂにも梯子２３が掛け渡してある。なお、第１の歩廊１Ａと第２の歩廊１Ｂとは、実質的に同一の構成をしている。
【００１４】
図１では、矢印の方向に（図面左側から）風Ｗが吹いており、この風の影響により、原子力発電所２の屋根２１の図面右側に積もった雪が、塊となって地上に落下している。そして、原子力発電所２の周囲の雪の塊が落下する区域には、人の立ち入りを禁止するための柵２４が設置してある。
【００１５】
歩廊１について具体的に説明すると、歩廊は、図２，３に示すように、床板３と、この床板を支持するはり材４と、歩廊の張出し側に設けた手すり５と、はり材を支持する支持部材６とから構成される。
【００１６】
まず、床板３について説明すると、床板は、歩廊１の張出し側に所定の間隔をおいて連続して設けてある突出側の床板３１と、建造物側に所定の間隔をおいて連続して設けてある屋根側の床板３２とからなる。屋根側の床板３２は、積雪時を含む通常時には立ち上がった状態にしておき、メンテナンスをする時には倒した状態にする。そして、通常時は、立ち上がった状態の屋根側の床板３２と手すり５との間、すなわち突出側の床板３１の上を歩行可能である。
【００１７】
屋根側の床板３２の張出し側の一端には、軸部３３が設けてある。軸部３３の両端は、はり材４１の上部に設けてある軸受３４，３４により軸支されている。したがって、屋根側の床板３２は、この軸部３３を回転軸として、図３に示すように時計回りに回動自在になっている。
【００１８】
屋根側の床板３２の両側面には、屋根側の床板が立ち上がったときに、これを支持する支持板７が設けてある。具体的には、図４に示すように、支持板７の一端（図面右側）には、凹部７１が形成してあり、この凹部に屋根側の床板３２の側面のほぼ中央部に取り付けてあるボルト７２のねじ部が回動自在に嵌合している。そして、ボルト７２の先端にナット７３が取り付けられることにより、ボルトと支持板７の一端が離脱するのを防止している。
【００１９】
支持板７の他端（図面左側）近傍から支持板の中央部付近にかけて、細長い溝部７４が形成してある。溝部７４には、後述する枠材８の側面に取り付けてあるボルト８１のねじ部が、溝部内を摺動自在に嵌入している。そして、ボルト８１の先端にナット８２が取り付けられることにより、ボルトと支持板７の他端が離脱するのを防止している。ボルト８１のねじ部は、溝部７４内を摺動自在であるため、支持板７は屋根側の床板３２の立ち上がり動作に合わせて、歩廊１の張出し方向に摺動可能である。
【００２０】
図３に示すように、屋根側の床板３２の屋根２１側の他端、すなわち屋根側の床板が立ち上がったときの上端には、付属用手すり３５が設けてある。付属用手すり３５は反時計回りに回動自在であり、必要に応じて立ち上げさせることにより、手すりとして使用することができる。
【００２１】
図２，３に示すように、屋根側の床板３２の下方には、格子状をした鋼板３６が設けてあり、この鋼板は、後述するはり材４に連結されている。格子状をした鋼板３６は、屋根を伝わって滑り落ちてきた大きな雪の塊ＳＢを、この格子の中を通過させることにより、小さな雪の塊に粉砕するものである。
【００２２】
なお、突出側の床板３１及び屋根側の床板３２は、縞鋼板（チェッカープレート）、すなわち表面に滑り止め用として縞模様状の凹凸を付けた鋼板、または、グレーチング、すなわち屋外排水溝の蓋等に使われる格子状の金物のいずれを使用しても構わない。
【００２３】
屋根側の床板３２と、屋根側の床板との所定の間隔内に設けてある枠材８の上部には、第１の雪粉砕部材８３が設けてある。第１の雪粉砕部材８３は、逆Ｖ字状をした型鋼からなり、屋根２１を滑り落ちてきた雪の塊ＳＢを粉砕するとともに、地上に落下する雪の塊の落下方向を規制している。
【００２４】
次に、はり材４について説明する。
はり材４は、第１のはり材４１と、第２のはり材４２とからなる。第１のはり材４１は、突出側の床板３１と屋根側の床板３２との境目の下部に設けてあり、突出側の床板と屋根側の床板とを支持している。第２のはり材４２は、突出側の床板３１の張出し部の下部に設けてあり、この第２のはり材は突出側の床板を支持している。
【００２５】
第１のはり材４１と第２のはり材４２とは、枠材８により連結されている。また、第１のはり材４１には、建造物２の屋根２１側に向けて枠材８が取り付けてあり、この枠材の一端は屋根に固定してある。
【００２６】
次に、支持部材６について説明する。
支持部材６は、枠材８を支持するためのものであり、支持部材の一端は、突出側の床板３１を支持している第２のはり材４２の下部に取り付けてある。また、支持部材６の他端は、屋根２１に固定してある。
【００２７】
支持部材６の上部には、第２の雪粉砕部材６１が取り付けてある。第２の雪粉砕部材６１は、第１の雪粉砕部材８３と同様に、逆Ｖ字型をした型鋼からなるものである。第２の雪粉砕部材６１は、格子状をした鋼板３５により粉砕され、落下してきた小さな雪の塊ＳＢを、さらに小さな雪の塊に粉砕するとともに、地上に落下する雪の塊の落下方向を規制している。
【００２８】
次に、本発明の作用について説明する。
図１，３に示すように、積雪時を含めた通常時には、屋根側の床板３２は、立ち上がった状態にしておく。そして、積雪期になり、原子力発電所２の屋根２１に所定の量の雪が積もり、風等によって雪に外圧が加わると、雪は大きな塊ＳＢとなって屋根を滑り落ちていく。滑り落ちてきた雪の塊ＳＢは、まず、屋根２１の上側に設けてある第１の歩廊１Ａに落ちていく。すると、大きな雪の塊ＳＢは、第１の歩廊１Ａの第１の雪粉砕部材８３により粉砕されるとともに、格子状をした鋼板３６を通過することにより、小さな雪の塊に粉砕される。そして、小さく粉砕された雪の塊ＳＢは、第２の雪粉砕部材６１により粉砕され、さらに小さな雪の塊になって第２の歩廊１Ｂに落下する。
【００２９】
第２の歩廊１Ｂに落下した雪の塊ＳＢは、同様にして、第１の雪粉砕部材８３により粉砕され、格子状をした鋼板３６を通過することにより、小さな雪の塊に粉砕され、さらに第２の雪粉砕部材６１により粉砕され、さらに小さな雪の塊になって地上に落下する。
【００３０】
屋根の補修、塗装、避雷針等の機器のメンテナンス等をするときは、図５に示すように、屋根側の床板３２を倒した状態にする。これにより、作業員は、屋根側の床板３２の上を歩いて屋根２１まで到達することが可能になり、屋根の補修等をすることができる。このとき、必要に応じて、屋根側の床板３２の一端に取り付けてある付属用手すり３５を屋根２１側に倒すことにより、床板として機能させることができる。
【００３１】
なお、前述した実施の形態では、歩廊は、原子力発電所のドーム状をした屋根に取り付けられていたが、歩廊を取り付ける個所は、建造物の屋根であればどのようなところでもよく、例えば半円筒形をしたアーチ状をした屋根に取り付けても構わない。
【００３２】
また、突出側の床板は、必ずしも歩廊の張出し側に所定の間隔をおいて連続して設ける必要はなく、一体的に構成された床板を使用してもよい。
また、屋根側の床板の他端に取り付けてある付属用手すりは、必ずしも回動自在なものである必要はなく、立ち上がった状態のままのものであってもよい。
【００３３】
また、前述した実施の形態では、格子状をした鋼板は、屋根側の床板の下方に一層だけ設けたが、格子状をした鋼板を二段組みにして設けてもよい。そして、上方に設ける鋼板の格子の間隔を広めのものにして、下方に設ける鋼板の格子の間隔を狭いものとすれば、鋼板を一層だけ設けた場合に比べて、より小さな雪の塊に粉砕することが可能になる。
【００３４】
【発明の効果】
以上説明したように本発明によれば、地上に落下する雪の塊を小さな塊とすることができ、雪の塊が落下する区域が狭くなるため、落雪事故防止のための立ち入り禁止区域を広く設定する必要がなくなる。また、ドーム状の屋根とする場合に、パラペットよりもドームの大きさを小さく設計する必要がないため、設計の自由度を増すことができる。また、歩廊に融雪設備を設けなくても、落雪事故を防止できるため、設備費用やランニングコストがかからず、簡易かつ安価に落雪事故を防止することが可能になる。
【図面の簡単な説明】
【図１】本発明の使用状態を示す正面図である。
【図２】歩廊を示す平面図である。
【図３】屋根側の床板が立ち上がっているときの歩廊を示す縦断面図である。
【図４】屋根側の床板が倒れているときの歩廊を示す縦断面図である。
【図５】支持板を示す正面図である。
【符号の説明】
１      歩廊
２      建造物
２１    屋根
３      床板
３１    突出側の床板
３２    屋根側の床板
３６    鋼板（雪粉砕部材）
６      支持部材
６１    第２の雪粉砕部材（雪粉砕部材）
７      支持板（立ち上がり維持機構）
８３    第１の雪粉砕部材（雪粉砕部材）
【図１】
0003964058.tif 000002
【図２】
0003964058.tif 000003
【図３】
0003964058.tif 000004
【図４】
0003964058.tif 000005
【図５】
0003964058.tif 000006